(57)【要約】【課題】所定のエリアで配信された放送を視聴し、かつ所定の場所に誘導されたユーザに対して効果的に特典を提供することが可能な情報処理装置、情報処理方法、及びプログラムを提案する。【解決手段】放送を受信するためのチャンネル識別情報を第１のオブジェクトから取得するチャンネル識別情報取得部と、前記チャンネル識別情報が示す前記放送に関連付けられた、特典を得るための権利情報を取得する権利情報取得部と、前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を示す特典情報を取得する特典情報取得部と、を備える、情報処理装置。【選択図】図１
2015012000.tif 000002
【特許請求の範囲】
【請求項１】
放送を受信するためのチャンネル識別情報を第１のオブジェクトから取得するチャンネル識別情報取得部と、
前記チャンネル識別情報が示す前記放送に関連付けられた、特典を得るための権利情報を取得する権利情報取得部と、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を示す特典情報を取得する特典情報取得部と、
を備える、情報処理装置。
【請求項２】
前記権利情報は、暗号化されており、
前記チャンネル識別情報取得部は、前記第１のオブジェクトから、前記権利情報を復号するための鍵情報を取得し、
前記権利情報取得部は、取得された前記鍵情報に基づき前記権利情報を復号する、請求項１に記載の情報処理装置。
【請求項３】
前記放送は、暗号化されており、
前記権利情報取得部は、前記鍵情報に基づき前記放送を復号する、請求項２に記載の情報処理装置。
【請求項４】
前記チャンネル識別情報は、前記放送を受信可能な領域内で取得される、請求項１に記載の情報処理装置。
【請求項５】
前記権利情報に基づき前記特典の内容を通知する通知部を備える、請求項１に記載の情報処理装置。
【請求項６】
前記チャンネル識別情報取得部は、前記第１のオブジェクトから、当該第１のオブジェクトを識別するためのオブジェクト識別情報を取得し、
前記特典情報取得部は、前記権利情報と前記オブジェクト識別情報とに基づく前記認証に係る処理を実行し、当該認証の結果に基づく前記特典情報を取得する、請求項１に記載の情報処理装置。
【請求項７】
前記チャンネル識別情報を取得したときの自身の位置を示す位置情報を取得する位置情報取得部を備え、
前記特典情報取得部は、前記権利情報と前記位置情報とに基づく前記認証に係る処理を実行し、当該認証の結果に基づく前記特典情報を取得する、請求項１に記載の情報処理装置。
【請求項８】
前記特典情報取得部は、前記通信を介して前記特典情報を取得する、請求項１に記載の情報処理装置。
【請求項９】
前記第２のオブジェクトと前記特典情報取得部との間の通信は、非接触通信である、請求項１に記載の情報処理装置。
【請求項１０】
チャンネル識別情報取得部は、前記第１のオブジェクトとの間で通信を確立し、当該通信を介して前記チャンネル識別情報を取得する、請求項１に記載の情報処理装置。
【請求項１１】
前記第１のオブジェクトと前記チャンネル識別情報取得部との間の通信は、非接触通信である、請求項１０に記載の情報処理装置。
【請求項１２】
前記特典情報取得部は、前記認証の結果を外部サーバに通知し、当該外部サーバから前記特典情報を取得する、請求項１に記載の情報処理装置。
【請求項１３】
前記チャンネル識別情報の取得、前記放送の受信、及び前記認証のうち少なくともいずれかに関する履歴を、外部サーバに送信する履歴送信部を備える、請求項１に記載の情報処理装置。
【請求項１４】
前記履歴は、前記放送に関連付けられた前記権利情報の利用状況を認識するために使用される、請求項１３に記載の情報処理装置。
【請求項１５】
前記チャンネル識別情報取得部は、異なる複数の前記第１のオブジェクトそれぞれから前記チャンネル識別情報を取得し、
前記権利情報取得部は、複数の前記第１のオブジェクトから取得した前記チャンネル識別情報それぞれが示す前記放送に関連付けられた、前記放送ごとの前記権利情報を取得し、
前記特典情報取得部は、前記放送ごとの前記権利情報それぞれについて前記認証に係る処理を実行し、実行された一連の前記認証の結果に基づく前記特典情報を取得する、請求項１に記載の情報処理装置。
【請求項１６】
前記第２のオブジェクトが複数設置され、
前記特典情報取得部は、前記放送ごとの前記権利情報それぞれに対応する前記認証に係る処理を、複数の前記第２のオブジェクトのうち、それぞれ異なる前記第２のオブジェクトとの間の通信を介して実行する、請求項１５に記載の情報処理装置。
【請求項１７】
前記第２のオブジェクトが複数設置され、
前記特典情報取得部は、複数の前記第２のオブジェクトそれぞれとの間の前記認証の結果に基づく前記特典情報を取得する、請求項１に記載の情報処理装置。
【請求項１８】
放送を受信するためのチャンネル識別情報が記憶された第１のオブジェクトから、当該チャンネル識別情報を取得することと、
前記チャンネル識別情報に基づき受信された前記放送に関連付けられた、特典を得るための権利情報を取得することと、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得することと、
を含む、情報処理方法。
【請求項１９】
コンピュータに、
放送を受信するためのチャンネル識別情報が記憶された第１のオブジェクトから、当該チャンネル識別情報を取得する機能と、
前記チャンネル識別情報に基づき受信された前記放送に関連付けられた、特典を得るための権利情報を取得する機能と、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得する機能と、
を実行させるためのプログラム。
【発明の詳細な説明】
【技術分野】
【０００１】
本開示は、情報処理装置、情報処理方法、及びプログラムに関する。
【背景技術】
【０００２】
近年では、データ放送技術の普及により、単に映像を配信するのみならず、例えば、所定の店舗等で割引のサービスを受けるための電子クーポンのような特典を提供することも可能となってきている。【０００３】
例えば、特許文献１には、データ放送技術を利用することで、ユーザが特定の放送を視聴したか否かを認識し、当該放送の視聴状況に応じて、電子クーポンのような特典を提供することが可能な通信放送連携サービス提供システムの例が開示されている。
【先行技術文献】
【特許文献】
【０００４】
【特許文献１】特開２００９−３８７８８号公報
【発明の概要】
【発明が解決しようとする課題】
【０００５】
一方で、特定の場所（例えば、店舗等のスポット）に関する広告用の放送を視聴し、かつ当該場所に誘導されたユーザに対して、効果的に特典を提供する技術が求められている。【０００６】
そこで、本開示では、放送を視聴し、かつ所定の場所に誘導されたユーザに対して効果的に特典を提供することが可能な、新規かつ改良された情報処理装置、情報処理方法、及びプログラムを提案する。
【課題を解決するための手段】
【０００７】
本開示によれば、放送を受信するためのチャンネル識別情報を第１のオブジェクトから取得するチャンネル識別情報取得部と、前記チャンネル識別情報が示す前記放送に関連付けられた、特典を得るための権利情報を取得する権利情報取得部と、前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を示す特典情報を取得する特典情報取得部と、を備える、情報処理装置が提供される。【０００８】
また、本開示によれば、放送を受信するためのチャンネル識別情報が記憶された第１のオブジェクトから、当該チャンネル識別情報を取得することと、前記チャンネル識別情報に基づき受信された前記放送に関連付けられた、特典を得るための権利情報を取得することと、前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得することと、を含む、情報処理方法が提供される。【０００９】
また、本開示によれば、コンピュータに、放送を受信するためのチャンネル識別情報が記憶された第１のオブジェクトから、当該チャンネル識別情報を取得する機能と、前記チャンネル識別情報に基づき受信された前記放送に関連付けられた、特典を得るための権利情報を取得する機能と、前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得する機能と、を実行させるためのプログラムが提供される。
【発明の効果】
【００１０】
以上説明したように本開示によれば、放送を視聴し、かつ所定の場所に誘導されたユーザに対して効果的に特典を提供することが可能な情報処理装置、情報処理方法、及びプログラムが提供される。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の第１の実施形態に係る情報処理システムの概略的なシステム構成を示した図である。
【図２】同実施形態に係る情報処理装置の構成を示したブロック図である。
【図３】同実施形態に係る情報処理システムの一連の処理の流れを示したシーケンス図である。
【図４】本開示の第２の実施形態に係る情報処理システムの概略的なシステム構成を示した図である。
【図５】同実施形態に係る情報処理装置の構成を示したブロック図である。
【図６】同実施形態に係る情報処理システムの一連の処理の流れを示したシーケンス図である。
【図７】同実施形態の変形例２に係る情報処理システムの概略的なシステム構成を示した図である。
【図８】本開示の第３の実施形態に係る情報処理システムの概略的なシステム構成を示した図である。
【図９】同実施形態に係る情報処理装置の構成を示したブロック図である。
【図１０】同実施形態に係る情報処理装置の他の一態様を示したブロック図である。
【図１１】同実施形態に係る情報処理システムの一連の処理の流れを示したシーケンス図である。
【図１２】本開示の実施形態に係る情報処理装置のハードウェア構成の一例である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．第１の実施の形態
１．１．システム構成
１．２．情報処理装置の構成
１．３．処理
１．４．まとめ
２．第２の実施の形態
２．１．システム構成
２．２．情報処理装置の構成
２．３．処理
２．４．変形例１
２．５．変形例２
２．６．まとめ
３．第３の実施の形態
３．１．システム構成
３．２．情報処理装置の構成
３．３．処理
３．４．まとめ
４．ハードウェア構成
【００１４】
＜１．第１の実施形態＞
［１．１．システム構成］
まず、図１を参照して、本開示の第１の実施形態に係る情報処理システムの概略的な構成について説明する。図１は、本実施形態に係る情報処理システム１の概略的なシステム構成を示した図である。
【００１５】
図１に示すように、本実施形態に係る情報処理システム１は、情報処理装置１０と、管理サーバ７０と、放送局３０と、放送チャンネル起動デバイス３２と、認証デバイス４２とを含む。
【００１６】
放送局３０は、図示しない映像配信サーバから、音声データ及び画像（静止画または動画）データを含む映像データを取得し、取得した映像データを放送として、あらかじめ決められた領域ｎ１内に位置する情報処理装置１０に配信する。放送局３０は、例えば、モバイル向けの地上デジタル放送（ワンセグ放送：１セグメント放送）やセルラー無線通信網を介して、領域ｎ１内に位置する情報処理装置１０に配信してもよい。また、放送局３０は、複数の異なる放送を、互いに異なる複数の周波数帯域（物理チャンネル：以降では、単に「チャンネル」と呼ぶ）に分けて配信してもよい。なお、上記では、映像データを放送として配信する例について説明したが、映像データに限らず、例えば、放送局３０は、音声データを放送として配信してもよい。なお、以降では、「放送」と記載した場合には、放送局３０から配信されるコンテンツ自体を示すものとする。
【００１７】
また、放送局３０は、配信する各放送のうち、少なくとも一部の放送に対して、当該放送とは異なるコンテンツをデータ放送として関連付けて、当該放送及び当該コンテンツを配信する。放送局３０は、例えば、ＢＭＬ（Ｂｒｏａｄｃａｓｔ  Ｍａｒｋｕｐ  Ｌａｎｇｕａｇｅ）のようなデータ放送用のページ記述言語を用いることで、当該コンテンツを配信される放送に関連付けてもよい。
【００１８】
本実施形態に係る情報処理システム１は、所定のスポット（例えば、店舗）４０で特典を受けるためのコンテンツを放送局３０から配信されるデータ放送を利用して配信することで、ユーザを当該スポットに誘導するとともに、当該スポットへのユーザの誘導を捕捉する仕組みを提供する。
【００１９】
なお、本実施形態において「特典」とは、主に商取引上の販促手法として消費者等に与えられるインセンティブの総称である。具体的には、ポイントサービス、クーポン等を含む。一般に、「ポイントサービス」とは、使用金額や利用状況等に応じてポイントが加算され、一定のポイント数と引き換えに、景品や割引などの便益を受けられるサービスを含む。ポイントサービスの一例としては、マイレージが挙げられる。「マイレージ」とは、ポイントサービスの一種であり、所定サービス（航空機等）の利用度に応じて各種の便益を受けられるサービスである。また「クーポン」とは、印刷物又は画面上に表示されたクーポン券と引き換えに、景品や割引などの便益を受けられるサービスを含む。
【００２０】
以下に本実施形態に係る情報処理システム１の詳細について説明する。なお、以降では、スポット（店舗）４０の広告主からの依頼に基づき、スポット４０に関する広告用の放送に対し、スポット４０で特典を受けるためのコンテンツ（以降では、「権利情報」と呼ぶ場合がある）がデータ放送として関連付けられるものとして説明する。なお、権利情報が関連付けられる広告用の放送は、放送局３０により、チャンネルｃ１０を介して領域ｎ１内に配信されるものとする。
【００２１】
なお、本実施形態において「権利情報」とは、特典を受けるための権利を示した情報であり、例えば、後述する放送チャンネル起動デバイス３２のように特定の場所における特定の情報の取得や、特定の放送の視聴のように、特定の処理が実行されることで提供される。権利情報は、例えば、後述する認証デバイス４２のように特定の場所で特典を得るために行われる認証の入力情報として用いられる。そのため、権利情報には、例えば、認証を行うためのＩＤ等が含まれていてもよい。また、権利情報は、単体ではユーザが特典を得るための機能を果たさず、具体的な一例として、権利情報自体は、クーポンとして役割を果たさない。なお、権利情報は、当該権利情報と引き換えに得られる特典に関する情報を含んでもよい。なお、特典に関する情報としては、例えば、特典が得られるスポットの情報や、得られる特典の内容を示す情報等が挙げられる。
【００２２】
管理サーバ７０は、特典を受けるための権利情報を放送局３０に送信し、放送局３０に対して、チャンネルｃ１０を介して配信される放送（例えば、スポット４０に関する広告用の放送）に、当該権利情報をデータ放送として関連付けるように指示する。
【００２３】
なお、管理サーバ７０は、広告主からの依頼に基づき権利情報を自身で生成してもよいし、あらかじめ生成された権利情報を外部から取得してもよい。
【００２４】
管理サーバ７０から指示を受けると、放送局３０は、取得した権利情報をデータ放送として、管理サーバ７０から指定された放送に関連付けて、当該放送及びデータ放送を領域ｎ１内に配信する。このとき、放送局３０は、あらかじめ生成された暗号化のための鍵情報に基づき権利情報を暗号化し、暗号化された権利情報をデータ放送として、管理サーバ７０から指定された放送に関連付けてもよい。なお、以降では、暗号化された権利情報が、データ放送として、管理サーバ７０から指定された放送に関連付けられているものとして説明する。
【００２５】
放送チャンネル起動デバイス３２は、放送局３０から配信される各放送のうち、所定のチャンネル（例えば、チャンネルｃ１０）に対応する放送を受信するためのチャンネル識別情報を、後述する情報処理装置１０に通知するための構成である。ここで、チャンネル識別情報は、例えば、放送を受信するためのチャンネルｃ１０を示す情報が含み、具体的な一例として、チャンネルｃ１０に対応する周波数帯の情報を含んでもよい。放送チャンネル起動デバイス３２は、領域ｎ１内に設置されている。このとき、放送チャンネル起動デバイス３２と情報処理装置１０とが情報の送受信を可能な範囲が、領域ｎ１内に包含されるように、放送チャンネル起動デバイス３２は、領域ｎ１内に設置されるとよい。なお、放送チャンネル起動デバイス３２が、「第１のオブジェクト」の一例に相当する。
【００２６】
情報処理装置１０は、放送チャンネル起動デバイス３２からチャンネル識別情報を取得することで、取得したチャンネル識別情報に対応する放送を受信することが可能となる。これにより、情報処理装置１０のユーザは、放送チャンネル起動デバイス３２から通知されたチャンネル識別情報に対応する放送を、当該情報処理装置１０を介して視聴することが可能となる。
【００２７】
放送チャンネル起動デバイス３２は、所定の記憶装置に記憶されたチャンネル識別情報を情報処理装置１０に通知するための通信デバイスを含んでもよい。例えば、放送チャンネル起動デバイス３２は、ＮＦＣ（Ｎｅａｒ  Ｆｉｅｌｄ  Ｃｏｍｍｕｎｉｃａｔｉｏｎ）による通信技術やＲＦＩＤ（Ｒａｄｉｏ  Ｆｒｅｑｕｅｎｃｙ  ＩＤｅｎｔｉｆｉｃａｔｉｏｎ）技術などの無線通信技術を用いた通信デバイスを含んでもよい。ＮＦＣによる通信技術やＲＦＩＤ技術などの無線通信技術を用いた通信デバイスの一例としては、ＮＦＣタグ３２ａやＮＦＣリーダライタ３２ｂが挙げられる。
【００２８】
ＮＦＣタグ３２ａは、接続されたアンテナを介して、外部装置（以降では、情報処理装置１０とする）からの高周波信号を受信し、受信した高周波信号を復号することで情報処理装置１０から情報を取得する。また、ＮＦＣタグ３２ａは、高周波信号を復号することで取得した情報に基づき負荷変調を制御することで、情報処理装置１０への応答に係る高周波信号を生成し、生成した高周波信号を、アンテナを介して情報処理装置１０に送信する。このような構成により、ＮＦＣタグ３２ａは、情報処理装置１０との間の通信を確立し、所定の記憶装置に記憶されたチャンネル識別情報を当該情報処理装置１０に出力する。
【００２９】
また、ＮＦＣリーダライタ３２ｂは、例えば、高周波信号生成部３２１と、復調部３２２と、アンテナ３２３とを備え、ＮＦＣなどにおけるリーダ／ライタ（または質問器）としての役目を果たす。
【００３０】
高周波信号生成部３２１は、所定の制御部から伝達される、高周波信号の送信開始を示す高周波信号生成命令を受け、高周波信号生成命令に応じた高周波信号を生成する。また、高周波信号生成部は、例えば制御部から伝達される、高周波信号の送信停止を示す高周波信号送信停止命令を受け、高周波信号の生成を停止する。
【００３１】
復調部３２２は、例えば、高周波信号生成部３２１とアンテナ３２３との間における電圧の振幅変化を包絡線検波し、検波した信号を２値化することによって、外部装置から送信される信号（より具体的には、例えば、負荷変調により送信される信号）を復調する。そして、復調部３２２は、復調した応答信号（例えば、高周波信号に応じた処理に基づく応答を示す応答信号）を、情報処理装置１０へ伝達する。なお、復調部３２２における応答信号の復調手段は、上記に限られず、例えば、高周波信号生成部３２１とアンテナ３２３との間における電圧の位相変化を用いて応答信号を復調することもできる。
【００３２】
このような構成により、ＮＦＣリーダライタ３２ｂは、情報処理装置１０との間の通信を確立し、所定の記憶装置に記憶されたチャンネル識別情報を当該情報処理装置１０に出力する。
【００３３】
なお、放送チャンネル起動デバイス３２から情報処理装置１０にチャンネル識別情報を通知するための構成は、ＮＦＣタグ３２ａやＮＦＣリーダライタ３２ｂのような、ＮＦＣによる通信技術やＲＦＩＤ技術などの無線通信技術を利用した通信デバイスに限定されない。具体的な一例として、ＩＥＥＥ８０２．１５規格やＩＥＥＥ８０２．１１規格で定義される無線通信技術を利用することで、放送チャンネル起動デバイス３２から情報処理装置１０にチャンネル識別情報を通知してもよい。ＩＥＥＥ８０２．１５規格の無線通信技術の具体的な一例として、Ｂｌｕｅｔｏｏｔｈ（登録商標）が挙げられる。また、ＩＥＥＥ８０２．１１規格の無線通信技術の具体的な一例として、Ｗｉ−ｆｉ（登録商標）：Ｗｉｒｅｌｅｓｓ  Ｆｉｄｅｌｉｔｙが挙げられる。また、無線通信に限らず、可視光通信、赤外線通信、または音声を媒介とした通信を利用してもよい。
【００３４】
また、他の一例として、放送チャンネル起動デバイス３２を、チャンネル識別情報を示すＱＲコード（登録商標）のような２次元コードもしくは３次元コードとして構成してもよい。この場合には、例えば、情報処理装置１０は、内蔵もしくは連携して動作する撮像部により２次元コードを撮像し、撮像された２次元コードを解析することで、チャンネル識別情報を取得すればよい。
【００３５】
なお、以降では、放送チャンネル起動デバイス３２は、ＮＦＣによる通信技術やＲＦＩＤ技術などの無線通信技術を利用して、情報処理装置１０との間で通信を確立し、当該情報処理装置１０に情報（例えば、チャンネル識別情報）を通知するものとして説明する。
【００３６】
また、放送チャンネル起動デバイス３２は、放送を受信するための情報として、チャンネル識別情報以外の他の情報を情報処理装置１０に通知してもよい。例えば、放送チャンネル起動デバイス３２は、チャンネル識別情報が示す放送に関連付けられたデータ放送を復号するための鍵情報を、情報処理装置１０に通知してもよい。
【００３７】
このように、放送チャンネル起動デバイス３２から情報処理装置１０に、データ放送を復号するための鍵情報を通知することで、放送チャンネル起動デバイス３２からチャンネル識別情報を取得した情報処理装置１０のみがデータ放送を復号できるように制限することが可能となる。即ち、放送チャンネル起動デバイス３２にアクセスしたユーザ（即ち、放送チャンネル起動デバイス３２の設置個所に足を運んだユーザ）のみが、データ放送として配信された権利情報を取得できることとなり、放送チャンネル起動デバイス３２へユーザを誘導することが可能となる。
【００３８】
なお、情報処理装置１０は、放送チャンネル起動デバイス３２から取得した鍵情報によるデータ放送の復号を、例えば、チャンネル識別情報に対応する放送の視聴のような特定の処理に関連付けて実行するようにしてもよい。このような構成により、例えば、放送チャンネル起動デバイス３２の設置場所に足を運び、かつ、当該放送チャンネル起動デバイス３２から通知されたチャンネル識別情報に対応する放送（例えば、広告用の放送）を視聴したユーザにのみ、データ放送として配信された権利情報を提供することが可能となる。
【００３９】
また、放送チャンネル起動デバイス３２は、自身を識別するための識別情報（以降では、「オブジェクト識別情報」と呼ぶ場合がある）を、情報処理装置１０に通知してもよい。当該オブジェクト識別情報は、例えば、放送チャンネル起動デバイス３２を一意に特定するためのＩＤを含んでもよい。このようにして通知されたオブジェクト識別情報は、例えば、情報処理装置１０が、どこに設置された放送チャンネル起動デバイス３２にアクセスすることでチャンネル識別情報を取得したかを認識するための情報として使用することが可能である。
【００４０】
また、放送チャンネル起動デバイス３２は、放送を視聴するためのアプリケーションの入手先を示す情報を、情報処理装置１０に通知してもよい。なお、入手先を示す情報としては、例えば、アプリケーションをダウンロード可能なサイトのＵＲＬ等が挙げられる。このような構成により、例えば、情報処理装置１０に放送を視聴するためのアプリケーションがインストールされていない場合に、ユーザによる情報処理装置１０の操作を、当該アプリケーションのインストールに係る手順に誘導することが可能となる。
【００４１】
情報処理装置１０は、放送局３０からの放送が配信される領域ｎ１内に設置された放送チャンネル起動デバイス３２にアクセスすることで、当該放送チャンネル起動デバイス３２から、所定のチャンネルに対応する放送を受信するためのチャンネル識別情報を取得する。
【００４２】
このとき、情報処理装置１０は、チャンネル識別情報が示す放送に関連付けられたデータ放送を復号するための鍵情報を、放送チャンネル起動デバイス３２から取得してもよい。同様に、情報処理装置１０は、アクセスした放送チャンネル起動デバイス３２を識別するためのオブジェクト識別情報や、放送を視聴するためのアプリケーションの入手先を示す情報を、放送チャンネル起動デバイス３２から取得してもよい。なお、以降では、情報処理装置１０は、チャンネル識別情報、鍵情報、オブジェクト識別情報、及び、アプリケーションの入手先を示す情報を、放送チャンネル起動デバイス３２から取得したものとして説明する。
【００４３】
情報処理装置１０は、取得したチャンネル識別情報に基づき、放送局３０から配信される放送のうち、当該チャンネル識別情報が示すチャンネルｃ１０を介して配信される放送を受信し、受信した放送をユーザが視聴可能に再生する。このとき、情報処理装置１０は、受信した放送を再生するための（即ち、ユーザが放送を視聴するための）アプリケーションがインストールされていない場合には、取得したアプリケーションの入手先を示す情報に基づき、該当するアプリケーションを取得しインストールしてもよい。
【００４４】
また、情報処理装置１０は、受信した放送にデータ放送として関連付けられた権利情報を取得する。このとき、情報処理装置１０は、データ放送（即ち、権利情報）が暗号化されている場合には、放送チャンネル起動デバイス３２から取得した鍵情報により当該データ放送を復号してもよい。また、情報処理装置１０は、受信した放送の視聴状況に応じて（例えば、放送を視聴した場合に）、データ放送を復号してもよい。なお、データ放送が暗号化されていない場合には、情報処理装置１０が復号に係る処理を実行する必要がないことは言うまでもない。
【００４５】
以上のようにして、情報処理装置１０は、特典を得るための権利情報を取得する。
【００４６】
なお、情報処理装置１０は、取得した権利情報に、当該権利情報と引き換えに得られる特典に関する情報が含まれている場合には、当該特典に関する情報を、ユーザが識別できるように通知してもよい。
【００４７】
例えば、図１に示す例では、情報処理装置１０は、特典に関する情報を通知するための媒体として、当該情報処理装置１０の表示部１５２（例えば、ディスプレイ）を利用している。具体的には、情報処理装置１０は、放送として受信した映像ｖ１５２を表示部１５２に表示させるとともに、当該放送に関連付けられた権利情報に含まれた、特典に関する情報ｖ１５４をあわせて表示部１５２に表示させている。これにより、ユーザは、表示部１５２に表示された特典に関する情報ｖ１５４により、特典を得られるスポット４０の情報や、当該特典の内容を認識することが可能となる。
【００４８】
情報処理装置１０は、権利情報を取得した状態で、あらかじめ決められた認証デバイス４２にアクセスすると、当該権利情報を入力情報として当該認証デバイス４２との間で認証を行うことで、当該権利情報に対応する特典に関する特典情報を取得する。
【００４９】
なお、本実施形態において「特典情報」とは、ポイントサービスやマイレージのようなそれ自体が特典を示す情報や、クーポンのように割引等の実質的な特典を受けるための媒介となる情報を含むものとする。
【００５０】
認証デバイス４２は、権利情報を取得した情報処理装置１０に対して、当該権利情報に対応する特典情報を提供するための構成である。認証デバイス４２は、ユーザの誘導先となるスポット４０に配置するとよい。ユーザの誘導先となるスポット４０としては、例えば、権利情報に示された割引等の特典を提供する店舗やイベント会場等が挙げられる。なお、認証デバイス４２が、「第２のオブジェクト」の一例に相当する。また、認証デバイス４２が配置されるスポット４０が、「第１のオブジェクトとは異なる所定の場所」の一例に相当する。
【００５１】
認証デバイス４２は、所定の権利情報にあらかじめ関連付けられた特典情報を、所定の記憶装置から読み出し可能に構成されている。このとき、特典情報に関連付けられている情報の実体は、権利情報を識別可能な情報であればよく、例えば、権利情報自体であってもよいし、権利情報を識別するための識別情報であってもよい。
【００５２】
認証デバイス４２は、情報処理装置１０からアクセスを受けると、情報処理装置１０との間で通信を確立し、当該通信を介して情報処理装置１０から権利情報を取得する。認証デバイス４２は、取得した権利情報が、自身が読み出し可能な特典情報に関連付けられた権利情報と一致するか否かを認証する。認証に成功した場合には、認証デバイス４２は、情報処理装置１０から取得した権利情報に対応する特典情報を読み出し、確立された通信を介して、当該特典情報を当該情報処理装置１０に提供する。
【００５３】
なお、認証デバイス４２は、情報処理装置１０との間でデータ（例えば、権利情報及び特典情報）を送受信するための通信デバイスを含む。例えば、認証デバイス４２は、ＮＦＣによる通信技術やＲＦＩＤ技術などの無線通信技術を用いた通信デバイスを含んでもよい。ＮＦＣによる通信技術やＲＦＩＤ技術などの無線通信技術を用いた通信デバイスの一例としては、ＮＦＣタグ４２ａやＮＦＣリーダライタ４２ｂが挙げられる。なお、ＮＦＣタグ４２ａ及びＮＦＣリーダライタ４２ｂの構成は、前述したＮＦＣタグ３２ａ及びＮＦＣリーダライタ３２ｂと同様のため、詳細な説明は省略する。
【００５４】
また、認証デバイス４２が、情報処理装置１０との間でデータを送受信するための構成は、ＮＦＣタグ４２ａやＮＦＣリーダライタ４２ｂのような、ＮＦＣによる通信技術やＲＦＩＤ技術などの無線通信技術を利用した通信デバイスに限定されない。具体的な一例として、Ｂｌｕｅｔｏｏｔｈ（登録商標）やＷｉ−ｆｉ（登録商標）のような無線通信技術を利用してもよいし、無線通信に限らず、可視光通信、赤外線通信、または音声を媒介とした通信を利用してもよい。
【００５５】
また、上記に示す例では、認証デバイス４２が、情報処理装置１０から権利情報を取得し、取得した権利情報に基づき認証を行う例について説明したが、情報処理装置１０側が認証に係る処理を実行してもよい。この場合には、例えば、認証デバイス４２が、自身が読み出し可能な特典情報に関連付けられた権利情報（もしくは、当該権利情報を識別するための情報）を情報処理装置１０に通知してもよい。情報処理装置１０は、認証デバイス４２から通知された権利情報と、自身が記憶する権利情報とが一致するか否かに基づき認証を行い、一致した場合には、通知された権利情報に対応する特典情報を認証デバイス４２に通知させればよい。なお、上記はあくまで一例であり、認証デバイス４２が、情報処理装置１０から提示された権利情報に対応する特典情報を提供可能か否かが確認できれば、認証に用いる情報の種別、認証の主体、及び認証の方法は限定されない。
【００５６】
また、認証デバイス４２は、情報処理装置１０から、当該情報処理装置１０がチャンネル識別情報を取得するためにアクセスした放送チャンネル起動デバイス３２のオブジェクト識別情報を取得してもよい。このような構成とすることで、例えば、認証デバイス４２は、特典情報を取得するために自身にアクセスした情報処理装置１０が、どの放送チャンネル起動デバイス３２にアクセスすることで放送を視聴し、権利情報を取得したかを捕捉することが可能となる。換言すると、当該認証デバイス４２を設置する側、即ち、特典の提供元である広告主は、情報処理装置１０のユーザが、どの放送チャンネル起動デバイス３２にアクセスすることで宣伝用の放送を受信し、認証デバイス４２に誘導されたかを認識することが可能となる。
【００５７】
なお、上記に示す例では、データ放送（即ち、権利情報）を暗号化する例について説明したが、データ放送に加えて放送局３０から配信される放送自体を暗号化し、放送チャンネル起動デバイス３２から通知される鍵情報に基づき復号できるようにしてもよい。このような構成とすることで、放送チャンネル起動デバイス３２にアクセスした情報処理装置１０のみが、配信された放送を視聴可能に復号することが可能となる。即ち、放送チャンネル起動デバイス３２にアクセスしたユーザのみが放送を視聴できることとなり、放送の配信対象を放送チャンネル起動デバイス３２の設置個所に足を運んだユーザに限定することが可能となる。
【００５８】
また、放送チャンネル起動デバイス３２は、情報処理装置１０から、当該情報処理装置１０のユーザに関する情報（例えば、年齢、性別、家族構成等）を取得し、取得した情報に応じて、情報処理装置１０に通知するチャンネル識別情報を切り替えてもよい。
【００５９】
具体的な一例として、放送チャンネル起動デバイス３２は、情報処理装置１０のユーザが女性の場合には、女性向けの放送を受信するためのチャンネル識別情報を情報処理装置１０に通知するようにしてもよい。この場合には、放送局３０に、当該チャンネル識別情報が示すチャンネルを介して、女性向けの放送を配信させればよいことは言うまでもない。また、管理サーバ７０は、当該女性向けの放送に対して、女性をターゲットとした特典を提供するための権利情報を、データ放送として関連付けてもよい。このような構成により、特典を提供する対象を絞り込むとともに、当該対象の要望に即した特典を提供することが可能となる。
【００６０】
また、放送チャンネル起動デバイス３２は、ユーザに関する情報に応じて、情報処理装置１０に通知するチャンネル識別情報を切り替えることが可能なため、例えば、ユーザの年齢に応じて一部の放送が視聴されないように、視聴制限をかけることも可能となる。
【００６１】
同様に、認証デバイス４２は、情報処理装置１０から、当該情報処理装置１０のユーザに関する情報を取得し、取得した情報に応じて、情報処理装置１０に通知する特典情報を切り替えてもよい。
【００６２】
具体的な一例として、認証デバイス４２は、情報処理装置１０のユーザが女性の場合には、女性向けの特典に対応した特典情報を情報処理装置１０に通知するようにしてもよい。このような構成により、特典を提供する対象に応じて、当該対象の要望に即した特典を提供することが可能となる。
【００６３】
［１．２．情報処理装置の構成］
次に、図２を参照して、本実施形態に係る情報処理装置１０の構成について説明する。図２は、本実施形態に係る情報処理装置１０の構成を示したブロック図である。図２に示すように、情報処理装置１０は、第１の通信部１０２と、第２の通信部１０４と、チャンネル識別情報取得部１０６と、権利情報取得部１０８と、権利情報記憶部１１０と、通知部１５と、特典情報取得部１１２とを含む。なお、以降では、情報処理装置１０は、第１の通信部１０２を介して、放送チャンネル起動デバイス３２及び認証デバイス４２にアクセスし、第２の通信部１０４を介して放送局３０から配信された放送を受信するものとして説明する。
【００６４】
第１の通信部１０２は、情報処理装置１０内の各構成が、放送チャンネル起動デバイス３２及び認証デバイス４２との間で通信を確立し、当該通信を介してデータを送受信する。第１の通信部１０２は、例えば、ＮＦＣによる通信技術やＲＦＩＤ技術などの無線通信技術を利用した通信デバイスとして構成してもよい。
【００６５】
なお、情報処理装置１０が、放送チャンネル起動デバイス３２及び認証デバイス４２のそれぞれにアクセスする際に、必ずしも同じ通信技術を利用してアクセスする必要はない。例えば、放送チャンネル起動デバイス３２及び認証デバイス４２へのアクセスのうち、いずれか一方のみへの
アクセスに、ＮＦＣによる通信技術やＲＦＩＤ技術などの無線通信技術を利用し、他方へのアクセスには別の通信技術を用いてもよい。この場合は、放送チャンネル起動デバイス３２及び認証デバイス４２にアクセスすするために、異なる複数の第１の通信部１０２（通信デバイス）を設けてもよい。なお、第１の通信部１０２により、異なる通信技術に基づく通信を実現可能な場合（例えば、複数の通信デバイスを１チップで構成可能な場合）には、必ずしも第１の通信部１０２を複数設ける必要はない。
【００６６】
なお、以降では、情報処理装置１０内の各構成が、放送チャンネル起動デバイス３２及び認証デバイス４２とデータの送受信を行う場合には、特に記載が無い場合においても、第１の通信部１０２を介してデータの送受信を行うものとする。
【００６７】
第２の通信部１０４は、情報処理装置１０が、放送局３０から配信された放送を受信する。第２の通信部１０４は、例えば、モバイル向けの地上デジタル放送（ワンセグ放送）やセルラー無線通信網を介して放送を受信するための通信デバイスとして構成してもよい。なお、第２の通信部１０４は、第１の通信部１０２と一体的に構成（１チップで構成）してもよい。
【００６８】
なお、以降では、情報処理装置１０内の各構成が、放送局３０から放送を受信する場合には、特に記載が無い場合においても、第２の通信部１０４を介して放送を受信するものとする。
【００６９】
チャンネル識別情報取得部１０６は、情報処理装置１０が放送チャンネル起動デバイス３２にアクセスした場合に、放送チャンネル起動デバイス３２との間で通信を確立する。放送チャンネル起動デバイス３２との通信が確立されたら、チャンネル識別情報取得部１０６は、当該通信を介して放送チャンネル起動デバイス３２からチャンネル識別情報を取得する。
【００７０】
このとき、チャンネル識別情報取得部１０６は、チャンネル識別情報が示す放送に関連付けられたデータ放送を復号するための鍵情報を、放送チャンネル起動デバイス３２から取得してもよい。同様に、チャンネル識別情報取得部１０６は、アクセスした放送チャンネル起動デバイス３２を識別するためのオブジェクト識別情報や、放送を視聴するためのアプリケーションの入手先を示す情報を、放送チャンネル起動デバイス３２から取得してもよい。なお、以降では、チャンネル識別情報取得部１０６は、チャンネル識別情報、鍵情報、オブジェクト識別情報、及び、アプリケーションの入手先を示す情報を、放送チャンネル起動デバイス３２から取得したものとして説明する。
【００７１】
チャンネル識別情報取得部１０６は、取得したチャンネル識別情報、鍵情報、オブジェクト識別情報、及び、アプリケーションの入手先を示す情報を、権利情報取得部１０８に出力する。
【００７２】
権利情報取得部１０８は、チャンネル識別情報、鍵情報、オブジェクト識別情報、及び、アプリケーションの入手先を示す情報を、チャンネル識別情報取得部１０６から取得する。
【００７３】
権利情報取得部１０８は、取得したチャンネル識別情報に基づき、放送局３０から配信される放送のうち、当該チャンネル識別情報が示すチャンネルｃ１０を介して配信される放送を受信する。権利情報取得部１０８は、放送を再生するためのアプリケーション（図示しない）に受信した放送を再生させる。このとき、権利情報取得部１０８は、受信した放送を再生するための（即ち、ユーザが放送を視聴するための）アプリケーションがインストールされていない場合には、取得したアプリケーションの入手先を示す情報に基づき、該当するアプリケーションを取得し情報処理装置１０にインストールしてもよい。
【００７４】
また、権利情報取得部１０８は、受信した放送にデータ放送として関連付けられた権利情報を取得する。このとき、情報処理装置１０は、データ放送（即ち、権利情報）が暗号化されている場合には、放送チャンネル起動デバイス３２から取得した鍵情報により当該データ放送を復号してもよい。また、情報処理装置１０は、受信した放送の視聴状況に応じて（例えば、放送を視聴した場合に）、データ放送を復号してもよい。
【００７５】
権利情報取得部１０８は、データ放送を利用して配信された権利情報を、取得したオブジェクト識別情報と関連付けて、権利情報記憶部１１０に記憶させる。権利情報記憶部１１０は、権利情報を記憶するための記憶部である。
【００７６】
通知部１５は、権利情報内に特典に関する情報が含まれている場合には、当該特典に関する情報をユーザが識別できるように通知するための構成である。例えば、図２に示す例は、通知部１５が、権利情報内に含まれた特典に関する情報を、映像情報として表示させる場合を示している。この場合には、通知部１５は、通知制御部１５１と、表示部１５２とを含む。
【００７７】
通知制御部１５１は、取得された権利情報を権利情報記憶部１１０から読み出す。通知制御部１５１は、読み出した権利情報から特典に関する情報を抽出し、抽出した特典に関する情報を表示部１５２に表示させる。
【００７８】
なお、表示部１５２は、必ずしも通知部１５専用の構成としても設ける必要はない。例えば、情報処理装置１０のディスプレイを表示部１５２として用いてもよい。
【００７９】
また、図２に示す例では、特典に関する情報を映像情報として表示させる場合を示しているが、特典に関する情報をユーザが識別できれば、当該特典に関する情報の通知方法は特に限定されない。例えば、通知部１５は、特典に関する情報を音声によりユーザに通知してもよい。
【００８０】
特典情報取得部１１２は、情報処理装置１０が認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【００８１】
このとき、特典情報取得部１１２は、当該権利情報に関連付けられた、放送チャンネル起動デバイス３２を示すオブジェクト識別情報を、あわせて認証デバイス４２に通知してもよい。これにより、認証デバイス４２は、特典情報を取得するために自身にアクセスした情報処理装置１０が、どの放送チャンネル起動デバイス３２にアクセスすることで放送を視聴し、権利情報を取得したかを捕捉することが可能となる。
【００８２】
特典情報取得部１１２は、権利情報に対する応答として、認証デバイス４２から特典情報を取得する。即ち、情報処理装置１０のユーザは、取得された特典情報に基づき特典を得ることが可能となる。
【００８３】
［１．３．処理］
次に、図３を参照して、本実施形態に係る情報処理システム１の一連の動作の流れについて説明する。図３は、本実施形態に係る情報処理システム１の一連の処理の流れを示したシーケンス図である。
【００８４】
（ステップＳ１０２）
管理サーバ７０は、特典を受けるための権利情報を放送局３０に送信し、放送局３０に対して、チャンネルｃ１０を介して配信される放送（例えば、スポット４０に関する広告用の放送）に、当該権利情報をデータ放送として関連付けるように指示する。
【００８５】
（ステップＳ１０４）
管理サーバ７０から指示を受けると、放送局３０は、取得した権利情報をデータ放送として、管理サーバ７０から指定された放送に関連付けて、当該放送及びデータ放送を領域ｎ１内に配信する。このとき、放送局３０は、あらかじめ生成された暗号化のための鍵情報に基づき権利情報を暗号化し、暗号化された権利情報をデータ放送として、管理サーバ７０から指定された放送に関連付けてもよい。なお、以降では、暗号化された権利情報が、データ放送として、管理サーバ７０から指定された放送に関連付けられているものとして説明する。
【００８６】
（ステップＳ１０６）
情報処理装置１０は、放送局３０からの放送が配信される領域ｎ１内に設置された放送チャンネル起動デバイス３２にアクセスすることで、当該放送チャンネル起動デバイス３２から、所定のチャンネル（即ち、チャンネルｃ１０）に対応する放送を受信するためのチャンネル識別情報を取得する。
【００８７】
具体的には、情報処理装置１０のチャンネル識別情報取得部１０６は、当該情報処理装置１０が放送チャンネル起動デバイス３２にアクセスした場合に、放送チャンネル起動デバイス３２との間で通信を確立する。放送チャンネル起動デバイス３２との通信が確立されたら、チャンネル識別情報取得部１０６は、確立された当該通信を介して放送チャンネル起動デバイス３２からチャンネル識別情報を取得する。
【００８８】
このとき、チャンネル識別情報取得部１０６は、チャンネル識別情報が示す放送に関連付けられたデータ放送を復号するための鍵情報を、放送チャンネル起動デバイス３２から取得する。
【００８９】
また、チャンネル識別情報取得部１０６は、アクセスした放送チャンネル起動デバイス３２を識別するためのオブジェクト識別情報や、放送を視聴するためのアプリケーションの入手先を示す情報を、放送チャンネル起動デバイス３２から取得してもよい。なお、以降では、チャンネル識別情報取得部１０６は、チャンネル識別情報、鍵情報、オブジェクト識別情報、及び、アプリケーションの入手先を示す情報を、放送チャンネル起動デバイス３２から取得したものとして説明する。
【００９０】
チャンネル識別情報取得部１０６は、取得したチャンネル識別情報、鍵情報、オブジェクト識別情報、及び、アプリケーションの入手先を示す情報を、権利情報取得部１０８に出力する。
【００９１】
（ステップＳ１０８）
権利情報取得部１０８は、チャンネル識別情報、鍵情報、オブジェクト識別情報、及び、アプリケーションの入手先を示す情報を、チャンネル識別情報取得部１０６から取得する。
【００９２】
権利情報取得部１０８は、取得したチャンネル識別情報に基づき、放送局３０から配信される放送のうち、当該チャンネル識別情報が示すチャンネルｃ１０を介して配信される放送を受信する。権利情報取得部１０８は、放送を再生するためのアプリケーション（図示しない）に受信した放送を再生させる。このとき、権利情報取得部１０８は、受信した放送を再生するための（即ち、ユーザが放送を視聴するための）アプリケーションがインストールされていない場合には、取得したアプリケーションの入手先を示す情報に基づき、該当するアプリケーションを取得しインストールしてもよい。
【００９３】
（ステップＳ１１０）
また、権利情報取得部１０８は、受信した放送にデータ放送として関連付けられた権利情報を取得する。このとき、情報処理装置１０は、データ放送（即ち、権利情報）が暗号化されている場合には、放送チャンネル起動デバイス３２から取得した鍵情報により当該データ放送を復号してもよい。また、情報処理装置１０は、受信した放送の視聴状況に応じて（例えば、放送を視聴した場合に）、データ放送を復号してもよい。以上のようにして、権利情報取得部１０８は、特典を得るための権利情報を取得する。
【００９４】
権利情報取得部１０８は、データ放送を利用して配信された権利情報を、取得したオブジェクト識別情報と関連付けて、権利情報記憶部１１０に記憶させる。
【００９５】
（ステップＳ１１２）
情報処理装置１０は、取得した権利情報に、当該権利情報と引き換えに得られる特典に関する情報が含まれている場合には、当該特典に関する情報を、ユーザが識別できるように通知してもよい。具体的な一例として、情報処理装置１０は、特典に関する情報を通知するための媒体として、当該情報処理装置１０の表示部１５２（例えば、ディスプレイ）を利用してもよい。この場合には、情報処理装置１０は、放送として受信した映像ｖ１５２を表示部１５２に表示させるとともに、当該放送に関連付けられた権利情報に含まれた、特典に関する情報ｖ１５４をあわせて表示部１５２に表示させてもよい。これにより、ユーザは、表示部１５２に表示された特典に関する情報ｖ１５４により、特典を得られるスポット４０の情報や、当該特典の内容を認識することが可能となる。
【００９６】
（ステップＳ１１４）
情報処理装置１０は、権利情報を取得した状態で、あらかじめ決められた認証デバイス４２にアクセスすると、当該権利情報を入力情報として当該認証デバイス４２との間で認証を行う。
【００９７】
具体的には、情報処理装置１０の特典情報取得部１１２は、情報処理装置１０が認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【００９８】
このとき、特典情報取得部１１２は、当該権利情報に関連付けられた、放送チャンネル起動デバイス３２を示すオブジェクト識別情報を、あわせて認証デバイス４２に通知してもよい。これにより、認証デバイス４２は、特典情報を取得するために自身にアクセスした情報処理装置１０が、どの放送チャンネル起動デバイス３２にアクセスすることで放送を視聴し、権利情報を取得したかを捕捉することが可能となる。
【００９９】
（ステップＳ１１６）
認証デバイス４２は、情報処理装置１０の特典情報取得部１１２との間で確立された通信を介して、特典情報取得部１１２から権利情報を取得する。認証デバイス４２は、取得した権利情報が、自身が読み出し可能な特典情報に関連付けられた権利情報と一致するか否かを認証する。認証に成功した場合には、認証デバイス４２は、特典情報取得部１１２から取得した権利情報に対応する特典情報を読み出し、確立された通信を介して、当該特典情報を当該特典情報取得部１１２に提供する。
【０１００】
特典情報取得部１１２は、権利情報に対する応答として、認証デバイス４２から特典情報を取得する。即ち、情報処理装置１０のユーザは、取得された特典情報に基づき特典を得ることが可能となる。
【０１０１】
［１．４．まとめ］
以上のように、本実施形態に係る情報処理システム１では、情報処理装置１０は、放送チャンネル起動デバイス３２にアクセスすることでデータ放送として権利情報を取得し、次いで、認証デバイス４２にアクセスすることで取得した権利情報に対応する特典情報を取得する。このような構成により、情報処理システム１では、放送チャンネル起動デバイス３２の設置場所に足を運んだユーザのみが、データ放送として配信された権利情報を取得できることとなり、放送チャンネル起動デバイス３２へユーザを誘導することが可能となる。
【０１０２】
また、情報処理システム１では、情報処理装置１０が、権利情報を入力情報として認証デバイス４２との間で認証を行うことで、当該除法処理装置１０に対して特典情報が提供される。そのため、認証デバイス４２を、ユーザの誘導先となるスポット４０に配置することで、放送チャンネル起動デバイス３２へのアクセスにより権利情報を取得したユーザを、スポット４０に誘導することが可能となる。即ち、放送チャンネル起動デバイス３２にアクセスして放送を視聴し、かつ、スポット４０に誘導されたユーザに対して、効果的に特典を提供することが可能となる。また、情報処理装置１０が認証デバイス４２にアクセスすることで特典情報が提供されるため、放送を視聴した当該情報処理装置１０のユーザがスポット４０に誘導されたことを、認証デバイス４２側で捕捉することが可能となる。
【０１０３】
また、情報処理装置１０が、放送チャンネル起動デバイス３２から取得したオブジェクト識別情報を認証デバイス４２に通知することで、認証デバイス４２は、当該情報処理装置１０が、どの放送チャンネル起動デバイス３２にアクセスしたかを捕捉することが可能となる。認証デバイス４２を設置する側、即ち、特典の提供元である広告主は、情報処理装置１０のユーザが、どの放送チャンネル起動デバイス３２にアクセスすることで宣伝用の放送を受信し、認証デバイス４２に誘導されたかを認識することが可能となる。
【０１０４】
＜２．第２の実施形態＞
［２．１．システム構成］
次に、第２の実施形態に係る情報処理システム１ａについて説明する。前述した第１の実施形態に係る情報処理システム１では、情報処理装置１０に提供する特典情報を、認証デバイス４２が特典情報を管理する場合について説明した。これに対して、本実施形態に係る情報処理システム１ａでは、情報処理装置１０ａに提供する特典情報を、管理サーバ７０が管理する点で、第１の実施形態に係る情報処理システム１と異なる。以下に、本実施形態に係る情報処理システム１ａについて説明する。
【０１０５】
まず、図４を参照しながら、本実施形態に係る情報処理システム１ａの概略的なシステム構成について説明する。なお、本実施形態に係る情報処理システム１ａは、情報処理装置１０ａが権利情報に基づき特典情報を取得するための構成や処理の内容が、前述した第１の実施形態に係る情報処理システム１と異なる。そこで、以降では、本実施形態に係る情報処理システム１ａについて、第１の実施形態に係る情報処理システム１と異なる部分に着目して説明し、情報処理システム１と同様の部分について詳細な説明は省略する。
【０１０６】
前述の通り、本実施形態に係る情報処理システム１ａでは、管理サーバ７０が特典情報を管理する。具体的には、管理サーバ７０は、所定の権利情報にあらかじめ関連付けられた特典情報を、所定の記憶装置から読み出し可能に構成されている。例えば、特典情報をデータベースにより管理してもよい。この場合には、管理サーバ７０は、データベースにアクセスすることで特典情報を読み出せばよい。なお、特典情報に関連付けられている情報の実体は、権利情報を識別できる情報であればよく、例えば、権利情報自体であってもよいし、権利情報を識別するための情報であってもよい。
【０１０７】
本実施形態では、認証デバイス４２は、認証により管理サーバ７０から提供される特典情報に関連付けられた権利情報を識別可能に構成されている。具体的には、認証デバイス４２は、特典情報に関連付けられた権利情報を識別可能な情報を、所定の記憶装置から読み出し可能に構成されている。なお、権利情報を識別可能な情報としては、例えば、権利情報自体であってもよいし、権利情報を識別するための識別情報であってもよい。
【０１０８】
情報処理装置１０ａは、権利情報を取得した状態で、あらかじめ決められた認証デバイス４２にアクセスすると、当該権利情報を入力情報として当該認証デバイス４２との間で認証を行う。なお、認証の方法については、第１の実施形態に係る情報処理システム１と同様であるため詳細な説明は省略する。
【０１０９】
本実施形態に係る情報処理装置１０ａは、認証デバイス４２との間の権利情報に基づく認証が成功した場合には、当該権利情報を識別可能な情報を認証結果として管理サーバ７０に通知する。なお、認証結果として管理サーバ７０に通知する情報は、権利情報を識別可能であれば、権利情報自体であってもよいし、権利情報を識別するための識別情報であってもよい。
【０１１０】
管理サーバ７０は、情報処理装置１０ａから認証結果を取得すると、認証結果として通知された権利情報に対応する特典情報を抽出し、抽出した特典情報を情報処理装置１０ａに提供する。なお、上記では、あらかじめ生成された特典情報を、管理サーバ７０が読み出し可能な記憶装置で管理する例について説明したが、管理サーバ７０自体が、特典情報を生成するように構成してもよい。
【０１１１】
以上のような構成により、本実施形態に係る情報処理システム１ａは、特典情報を管理サーバ７０で集中管理することが可能となる。これにより、例えば、認証デバイス４２が複数存在するような場合においても、特典情報の内容を変更する際に、管理サーバ７０で管理している特典情報のみを更新すればよいため、特典情報の更新に係る作業の手間を軽減することが可能となる。
【０１１２】
なお、異なる複数の認証デバイス４２のうちいずれかを選択して認証可能とし、管理サーバ７０は、認証が行われた認証デバイス４２に応じて、異なる特典情報を情報処理装置１０ａに提供できるようにしてもよい。
【０１１３】
例えば、管理サーバ７０は、特典情報を、所定の権利情報と、認証デバイス４２を識別するためのオブジェクト識別情報とに関連付けて管理してもよい。
【０１１４】
この場合には、情報処理装置１０ａは、認証を行った認証デバイス４２から、当該認証デバイス４２に対応するオブジェクト識別情報を取得し、取得したオブジェクト識別情報を、権利情報を識別可能な情報とあわせて認証結果として管理サーバ７０に通知する。
【０１１５】
管理サーバ７０は、情報処理装置１０ａから認証結果を取得すると、認証結果として通知された権利情報と、オブジェクト識別情報とに関連付けられた特典情報を抽出し、抽出した特典情報を情報処理装置１０ａに提供する。
【０１１６】
このような構成とすることで、例えば、１つの権利情報により、複数のスポット（店舗）４０のうちのいずれかを選択して特典を受けられるようにし、かつ、選択されたスポット４０に応じて特典の内容を切り替えることが可能となる。そのため、複数のスポット４０が、例えば、それぞれ異なる業種の店舗だったとしても、その店舗が提供するサービスに応じて特典を付与することが可能となる。
【０１１７】
［２．２．情報処理装置の構成］
次に、図５を参照して、本実施形態に係る情報処理装置１０ａの構成について説明する。図５は、本実施形態に係る情報処理装置１０ａの構成を示したブロック図である。本実施形態に係る情報処理装置１０ａは、前述した第１の実施形態に係る情報処理装置１０と、特典情報取得部１１２の動作が異なる。そこで、以降では、本実施形態に係る情報処理装置１０ａの構成について、第１の実施形態に係る情報処理装置１０と異なる特典情報取得部１１２に着目して説明し、その他の構成について詳細な説明は省略する。
【０１１８】
特典情報取得部１１２は、情報処理装置１０ａが認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【０１１９】
特典情報取得部１１２は、権利情報に対する応答として、当該権利情報を入力情報と下認証の結果を認証デバイス４２から取得する。
【０１２０】
特典情報取得部１１２は、認証デバイス４２との間の権利情報に基づく認証が成功した場合には、当該権利情報を識別可能な情報を認証結果として、第２の通信部１０４を介して管理サーバ７０に通知する。なお、認証結果として管理サーバ７０に通知する情報は、権利情報を識別可能であれば、権利情報自体であってもよいし、権利情報を識別するための識別情報であってもよい。また、権利情報取得部１０８が放送を受信するための通信手段と、特典情報取得部１１２が管理サーバ７０と通信を行うための通信手段が異なる場合には、特典情報取得部１１２が管理サーバ７０と通信を行うために、別途第２の通信部１０４を設けてもよい。
【０１２１】
特典情報取得部１１２は、認証結果に対する応答として、認証結果として通知した権利情報に対応する特典情報を、管理サーバ７０から取得する。即ち、情報処理装置１０ａのユーザは、取得された特典情報に基づき特典を得ることが可能となる。
【０１２２】
［２．３．処理］
次に、図６を参照して、本実施形態に係る情報処理システム１ａの一連の動作の流れについて説明する。図６は、本実施形態に係る情報処理システム１ａの一連の処理の流れを示したシーケンス図である。なお、図６におけるステップＳ１０２〜Ｓ１１４については、前述した第１の実施形態に係る情報処理システム１の場合（図３参照）と同様のため、以降では、当該情報処理システム１と動作の異なる、ステップＳ１２２〜Ｓ１２６の処理に着目して説明する。
【０１２３】
（ステップＳ１１４）
特典情報取得部１１２は、情報処理装置１０ａが認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【０１２４】
（ステップＳ１２２）
特典情報取得部１１２は、権利情報に対する応答として、当該権利情報を入力情報とした認証の結果を認証デバイス４２から取得する。
【０１２５】
（ステップＳ１２４）
特典情報取得部１１２は、認証デバイス４２との間の権利情報に基づく認証が成功した場合には、当該権利情報を識別可能な情報を認証結果として管理サーバ７０に通知する。
【０１２６】
（ステップＳ１２６）
管理サーバ７０は、情報処理装置１０ａから認証結果を取得すると、認証結果として通知された権利情報に対応する特典情報を抽出し、抽出した特典情報を情報処理装置１０ａに提供する。
【０１２７】
特典情報取得部１１２は、認証結果に対する応答として、認証結果として通知した権利情報に対応する特典情報を、管理サーバ７０から取得する。即ち、情報処理装置１０ａのユーザは、取得された特典情報に基づき特典を得ることが可能となる。
【０１２８】
［２．４．変形例１］
次に、本実施形態の変形例１に係る情報処理システム１ａについて説明する。上記に示した第２の実施形態では、放送チャンネル起動デバイス３２へのアクセスにより放送を視聴したユーザを、所定のスポット４０に設置された認証デバイス４２に誘導し、特典を提供する場合の例について説明した。これに対して、変形例１に係る情報処理システム１ａは、複数のスポットにユーザを誘導し、各スポットを廻ったユーザに対して特典を付与する。
【０１２９】
具体的な一例として、情報処理システム１ａは、複数の放送エリアそれぞれで所定の放送を視聴したユーザに対して特典を付与してもよい。
【０１３０】
この場合には、例えば、情報処理装置１０ａは、放送チャンネル起動デバイス３２からチャンネル識別情報を取得する際に、当該放送チャンネル起動デバイス３２を識別するためのオブジェクト識別情報（以降では、「放送チャンネル起動デバイス３２を示すオブジェクト識別情報」と呼ぶ場合がある）を取得してもよい。
【０１３１】
情報処理装置１０ａは、放送チャンネル起動デバイス３２から取得したチャンネル識別情報に基づき放送を受信し、当該放送にデータ放送として関連付けられた権利情報を取得する。そして、情報処理装置１０ａは、データ放送として取得した権利情報に対して、チャンネル識別情報を取得した放送チャンネル起動デバイス３２を示すオブジェクト識別情報を関連付ける。
【０１３２】
情報処理装置１０ａは、取得した権利情報に基づき認証デバイス４２との間で認証を行った結果を管理サーバ７０に通知するときに、あわせて放送チャンネル起動デバイス３２を示すオブジェクト識別情報を通知する。以上のような構成により、管理サーバ７０は、情報処理装置１０ａがどの放送チャンネル起動デバイス３２にアクセスすることで、放送を受信し、当該放送に関連付けられた権利情報を取得したかを認識することが可能となる。なお、各放送チャンネル起動デバイス３２を示すオブジェクト識別情報に、当該放送チャンネル起動デバイス３２の位置情報をあらかじめ関連付けておくことで、管理サーバ７０は、オブジェクト識別情報に基づき放送チャンネル起動デバイス３２の位置を特定することも可能となる。
【０１３３】
このような仕組みを利用することで、情報処理装置１０ａは、認証を行うごとに、認証に用いた権利情報の取得元となる放送チャンネル起動デバイス３２を示すオブジェクト識別情報を管理サーバ７０に通知することが可能となる。これにより、管理サーバ７０は、例えば、あらかじめ決められた複数の放送チャンネル起動デバイス３２それぞれにアクセスして権利情報を取得した情報処理装置１０ａを認識し、当該情報処理装置１０ａに対して特典情報を提供することが可能となる。即ち、変形例１に係る情報処理システム１ａに依れば、例えば、スタンプラリーのように、複数の放送エリアそれぞれで放送を視聴したユーザに対して特典を付与することが可能となる。
【０１３４】
なお、異なる複数の放送チャンネル起動デバイス３２にアクセスすることで取得された権利情報ごとに、認証を行える認証デバイス４２をあらかじめ制限することも可能である。
【０１３５】
この場合には、複数の放送チャンネル起動デバイス３２を複数のグループ（例えば、放送エリアごと）に分類し、グループごとに異なる権利情報が取得されるように、当該放送チャンネル起動デバイス３２へのアクセスに基づき受信される放送を制御する。具体的な一例として、放送エリアごとに異なる権利情報が関連付けられた放送を配信してもよいし、グループごとに異なるチャンネル識別情報が通知されるように放送チャンネル起動デバイス３２を設置してもよい。
【０１３６】
また、各認証デバイス４２は、複数のグループのうちいずれか１以上のグループに対応する権利情報を識別するための情報を読み出せるように構成すればよい。このような構成とすることで、認証デバイス４２は、グループごとに設定された権利情報のうち、自身が識別可能な権利情報のみを認証できるように動作が制限される。
【０１３７】
以上で説明したように情報処理システム１ａを構成することで、例えば、各放送エリアで放送を視聴したユーザを、放送エリアごとに異なるスポット４０に誘導することが可能となる。
【０１３８】
なお、放送チャンネル起動デバイス３２を複数のグループに分類する単位や、各グループと各認証デバイス４２との関連付けは適宜変更することも可能である。例えば、グループごとに異なる放送を配信し、当該放送に関連付けられた権利情報を、いずれの認証デバイス４２でも認証できるように設定することも可能である。この場合は、各グループに対応する権利情報を識別するための情報を、各認証デバイス４２が読み出せるように構成すればよい。
【０１３９】
また、認証デバイス４２への１回のアクセスで、複数の権利情報について認証を行えるように構成してもよい。この場合には、例えば、認証デバイス４２は、情報処理装置１０ａから複数の権利情報を取得し、取得した複数の権利情報それぞれについて認証を行えばよい。このような構成とすることで、ユーザは、必ずしも放送を視聴するごとに認証を行う必要がなくなり、認証に係るユーザの手間を軽減することが可能となる。
【０１４０】
また、１つの権利情報に基づき、複数の認証デバイス４２との間で認証が行われた場合に、特典情報を提供するように構成してもよい。この場合には、各認証デバイス４２は、情報処理装置１０ａとの間で認証が行われた場合に、自身を特定するためのオブジェクト識別情報を当該情報処理装置１０ａに通知する。情報処理装置１０ａは、認証を行った結果を管理サーバ７０に通知するときに、あわせて認証デバイス４２から取得したオブジェクト識別情報を通知する。このような構成により、管理サーバ７０は、情報処理装置１０ａがどの認証デバイス４２との間で認証を行ったかを認識することができる。そのため、管理サーバ７０は、情報処理装置１０ａから通知されたオブジェクト識別情報に基づき、あらかじめ決められた複数の認証デバイス４２との間で認証が行われたことが認識できた場合に、当該情報処理装置１０ａに特典情報を提供することが可能となる。
【０１４１】
［２．５．変形例２］
次に、変形例２に係る情報処理システム１ｂについて説明する。第２の実施形態及び変形例１では、管理サーバ７０が、情報処理装置１０ａに特典情報を提供する構成とすることで、特典情報の更新を管理サーバ７０で集中管理する例について説明した。変形例２では、第１の実施形態と同様に、認証デバイス４２が情報処理装置１０に特典情報を提供する構成として、特典情報が更新された場合に、管理サーバ７０から認証デバイス４２に更新後の特典情報を配信する。このような構成により、変形例２に係る情報処理システム１ｂは、特典情報の更新を管理サーバ７０で集中管理する。以下に、図７を参照しながら、変形例２に係る情報処理システム１ｂについて説明する。図７は、本実施形態の変形例２に係る情報処理システム１ｂの概略的なシステム構成を示した図である。
【０１４２】
図７に示すように、変形例２に係る情報処理システム１ｂは、認証デバイス管理サーバ４４を含む点で、上述した第１の実施形態に係る情報処理システム１と異なる。そこで、以降では、第１の実施形態に係る情報処理システム１と異なる認証デバイス管理サーバ４４に着目して説明する。
【０１４３】
認証デバイス管理サーバ４４は、１以上の認証デバイス４２に関連付けられており、当該１以上の認証デバイス４２が読み出す特典情報を、管理サーバ７０の指示に基づき更新する。
【０１４４】
具体的には、管理サーバ７０は、各認証デバイス管理サーバ４４が、どの認証デバイス４２に関連付けられているかを認識している。そして、管理サーバ７０は、対応する認証デバイス４２で提供される特典情報が更新された場合に、更新後の特典情報を、当該認証デバイス４２に対応する認証デバイス管理サーバ４４に配信する。
【０１４５】
認証デバイス管理サーバ４４は、管理サーバ７０と通信可能に構成されており、管理サーバ７０で管理している特典情報が更新された場合に、更新後の特典情報を管理サーバ７０から取得する。
【０１４６】
そして、認証デバイス管理サーバ４４は、管理サーバ７０から更新後の特典情報を取得した場合に、認証デバイス４２が特典情報を読み出す記憶装置にアクセスし、当該記憶装置に記憶された特典情報を、管理サーバ７０から取得した更新後の特典情報に置き換える。
【０１４７】
このような構成のより、変形例２に係る情報処理システム１ｂにおいても、特典情報を管理サーバ７０で集中管理することが可能となる。即ち、認証デバイス４２が複数存在するような場合においても、特典情報の内容を変更する際に、管理サーバ７０で管理している特典情報を更新することで、認証デバイス管理サーバ４４を介して、各認証デバイス４２に更新後の特典情報を配信することが可能となる。
【０１４８】
［２．６．まとめ］
以上のように、本実施形態に係る情報処理システム１ａ及び１ｂでは、特典情報を管理サーバ７０で集中管理することが可能となる。これにより、例えば、認証デバイス４２が複数存在するような場合においても、特典情報の内容を変更する際に、管理サーバ７０で管理している特典情報のみを更新すればよいため、特典情報の更新に係る作業の手間を軽減することが可能となる。
【０１４９】
＜３．第３の実施形態＞
［３．１．システム構成］
次に、第３の実施形態に係る情報処理システム１ｃについて説明する。本実施形態に係る情報処理システム１ｃでは、権利情報に基づき特典情報が取得された場合に、当該権利情報がどの放送にデータ放送として関連付けられた権利情報であるかを識別することを可能とする仕組みを提供する。以降では、図８を参照しながら、本実施形態に係る情報処理システム１ｃの概略的なシステム構成について、上述した実施形態とは異なる部分に着目して説明する。図８は、本実施形態に係る情報処理システム１ｃの概略的なシステム構成を示した図である。
【０１５０】
本実施形態に係る管理サーバ７０は、権利情報に対して当該権利情報を識別するための識別情報（以降では、「管理情報」と呼ぶ場合がある）を付加し、管理情報が付加された権利情報を放送局３０に送信する。そして、管理サーバ７０は、放送局３０に対して、チャンネルｃ１０を介して配信される放送に、当該権利情報をデータ放送として関連付けるように指示する。このとき、管理サーバ７０は、例えば、異なる放送に関連付けられる権利情報には、それぞれ異なる管理情報を付加してもよい。この場合は、各放送にデータ放送として関連付けられた権利情報に対して、それぞれ異なる管理情報が付加されることとなる。
【０１５１】
管理サーバ７０から指示を受けると、放送局３０は、取得した権利情報をデータ放送として、管理サーバ７０から指定された放送に関連付けて、当該放送及びデータ放送を領域ｎ１内に配信する。なお、放送局３０から配信された放送が情報処理装置１０ｃに受信され、当該情報処理装置１０ｃにより、受信された放送から権利情報が取得される仕組みについては、上述した第１の実施形態に係る情報処理システム１と同様のため詳細な説明は省略する。
【０１５２】
情報処理装置１０ｃは、権利情報を取得した状態で、あらかじめ決められた認証デバイス４２にアクセスすると、当該権利情報を入力情報として当該認証デバイス４２との間で認証を行うことで、当該権利情報に対応する特典に関する特典情報を得る。
【０１５３】
認証デバイス４２との認証に基づき特典情報を取得したら、情報処理装置１０ｃは、認証に用いた権利情報に付加された管理情報を抽出し、抽出した管理情報を管理サーバ７０に通知する。このような構成により、管理サーバ７０は、情報処理装置１０ｃから取得した管理情報に基づき、どの放送を視聴したユーザが特典情報を取得したかを認識することが可能となる。換言すると、本実施形態に係る情報処理システム１ｃに依れば、どの放送がスポット４０への送客に貢献したかを定量的に測定でき、例えば、送客数に応じて該当する放送を配信した放送配信業者に対して課金を行うこと（即ち、アフィリエイト）が可能となる。
【０１５４】
なお、情報処理装置１０ｃに替えて認証デバイス４２側が、管理サーバ７０への管理情報の通知を行ってもよい。この場合には、例えば、図８に示すように、管理サーバ７０と通信可能な認証デバイス管理サーバ４４を設ければよい。認証デバイス４２は、情報処理装置１０ｃとの間で認証を行う際に情報処理装置１０ｃから取得した権利情報から、当該権利情報に付加された管理情報を抽出し、認証デバイス管理サーバ４４を介して抽出された管理情報を管理サーバ７０に通知すればよい。
【０１５５】
また、管理サーバ７０に、放送チャンネル起動デバイス３２を識別するためのオブジェクト識別情報（以降では、「放送チャンネル起動デバイス３２を示すオブジェクト識別情報」と呼ぶ場合がある）を通知できるようにしてもよい。この場合には、情報処理装置１０ｃは、放送チャンネル起動デバイス３２からチャンネル識別情報を取得した場合に、あわせて当該放送チャンネル起動デバイス３２を示すオブジェクト識別情報を取得する。
【０１５６】
そして、情報処理装置１０ｃは、チャンネル識別情報に基づきデータ放送として取得した権利情報から管理情報を抽出し、抽出した管理情報と放送チャンネル起動デバイス３２から取得したオブジェクト識別情報とを関連付けて管理サーバ７０に通知してもよい。このような構成とすることで、管理サーバ７０は、管理情報が示す放送が、どの放送チャンネル起動デバイス３２にアクセスすることで受信されたかを認識することが可能となる。
【０１５７】
また、他の一例として、管理サーバ７０に、認証デバイス４２を識別するためのオブジェクト識別情報（以降では、「認証デバイス４２を示すオブジェクト識別情報」と呼ぶ場合がある）を通知できるようにしてもよい。この場合には、情報処理装置１０ｃは、認証デバイス４２との間で認証を行った場合に、あわせて当該認証デバイス４２を示すオブジェクト識別情報を取得する。
【０１５８】
そして、情報処理装置１０ｃは、認証に用いた権利情報から管理情報を抽出し、抽出した管理情報と認証デバイス４２から取得したオブジェクト識別情報とを関連付けて管理サーバ７０に通知してもよい。このような構成とすることで、管理サーバ７０は、管理情報が示す放送に基づき、ユーザがどの認証デバイス４２が設置されたスポット４０に誘導されたかを認識することが可能となる。
【０１５９】
なお、放送チャンネル起動デバイス３２及び認証デバイス４２を特定する方法は、必ずしも上記に示した放送チャンネル起動デバイス３２及び認証デバイス４２それぞれに対応するオブジェクト識別情報に基づき特定する方法には限定されない。例えば、放送チャンネル起動デバイス３２及び認証デバイス４２のそれぞれにアクセスしたときに、情報処理装置１０ｃは、自身の位置情報を取得し、取得した位置情報に基づき放送チャンネル起動デバイス３２及び認証デバイス４２を特定してもよい。なお、情報処理装置１０ｃの位置情報は、例えば、情報処理装置１０ｃにＧＰＳ（Ｇｌｏｂａｌ  Ｐｏｓｉｔｉｏｎｉｎｇ  Ｓｙｓｔｅｍ）受信機を設けることで取得できる。なお、このことは、前述した第１実施形態及び第２の実施形態に係る各情報処理システムについても同様である。
【０１６０】
また、情報処理装置１０ｃや認証デバイス４２が認識できる他の情報が、管理サーバ７０に通知されるように、情報処理装置１０ｃまたは認証デバイス４２を動作させてもよい。具体的な一例として、情報処理装置１０ｃは、当該情報処理装置１０ｃのユーザに関する情報（例えば、年齢、性別、家族構成等）を取得し、取得した情報を管理情報と関連付けて管理サーバ７０に通知してもよい。このような構成とすることで、管理サーバ７０は、管理情報が示す放送が、どのような顧客層に視聴されているかを認識することが可能となる。
【０１６１】
また、放送局３０から配信された放送やデータ放送に含まれる制御情報が、管理サーバ７０に通知されるように、情報処理装置１０ｃまたは認証デバイス４２を動作させてもよい。例えば、放送やデータ放送の配信元である放送局３０を識別するための識別情報が管理サーバ７０に通知されることで、管理サーバ７０は、どの放送エリアで配信された放送がユーザに視聴されていたかを認識することが可能となる。
【０１６２】
以上のように、本実施形態に係る情報処理システム１ｃでは、管理サーバ７０は、権利情報に当該権利情報を識別するための管理情報を付加し、管理情報が付加された権利情報をデータ放送として情報処理装置１０ｃに配信する。そして、管理サーバ７０は、情報処理装置１０ｃから管理情報を取得することで、取得した管理情報に基づき、特典情報の取得に用いられた権利情報が、どの放送にデータ放送として関連付けられた権利情報であるかを識別する。このような構成により、管理サーバ７０は、情報処理装置１０ｃから取得した管理情報に基づき、どの放送を視聴したユーザが特典情報を取得したかを認識することが可能となる。
【０１６３】
［３．２．情報処理装置の構成］
次に、図９を参照して、本実施形態に係る情報処理装置１０ｃの構成について説明する。図９は、本実施形態に係る情報処理装置１０ｃの構成を示したブロック図である。本実施形態に係る情報処理装置１０ｃは、履歴情報送信部１２０を備える点で、前述した第１の実施形態に係る情報処理装置１０（図２参照）と異なる。そこで、以降では、本実施形態に係る情報処理装置１０ｃの構成について、第１の実施形態に係る情報処理装置１０と異なる履歴情報送信部１２０に着目して説明し、その他の構成について詳細な説明は省略する。
【０１６４】
特典情報取得部１１２は、情報処理装置１０ｃが認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【０１６５】
特典情報取得部１１２は、権利情報に対する応答として、認証デバイス４２から特典情報を取得する。ここまでの動作は、前述した第１の実施形態に係る情報処理装置１０と同様である。
【０１６６】
認証デバイス４２から特典情報を取得したら（即ち、認証デバイス４２との間における認証が完了したら）、特典情報取得部１１２は、特典情報の取得に用いた権利情報を履歴情報送信部１２０に出力する。
【０１６７】
履歴情報送信部１２０は、認証デバイス４２から権利情報を取得する。履歴情報送信部１２０は、取得した権利情報に付加された管理情報を抽出し、抽出した管理情報を管理サーバ７０に通知する。このような構成により、管理サーバ７０は、履歴情報送信部１２０から取得した管理情報に基づき、どの放送を視聴したユーザが特典情報を取得したかを認識することが可能となる。
【０１６８】
なお、履歴情報送信部１２０は、権利情報に対応する、放送チャンネル起動デバイス３２を示すオブジェクト識別情報や、認証デバイス４２を示すオブジェクト識別情報を、管理サーバ７０に通知できるようにしてもよい。
【０１６９】
例えば、放送チャンネル起動デバイス３２を示すオブジェクト識別情報を管理サーバ７０に通知する場合について以下に説明する。
【０１７０】
この場合には、チャンネル識別情報取得部１０６は、チャンネル識別情報の取得元である放送チャンネル起動デバイス３２から、当該放送チャンネル起動デバイス３２を示すオブジェクト識別情報を取得する。そして、チャンネル識別情報取得部１０６は、チャンネル識別情報に基づきデータ放送として受信した権利情報に、取得した放送チャンネル起動デバイス３２を示すオブジェクト識別情報を関連付ければよい。
【０１７１】
これにより、履歴情報送信部１２０は、特典情報取得部１１２から当該権利情報を取得した場合に、取得した権利情報から、放送チャンネル起動デバイス３２を示すオブジェクト識別情報を抽出することが可能となる。
【０１７２】
また、他の一例として、認証デバイス４２を示すオブジェクト識別情報を管理サーバ７０に通知する場合について以下に説明する。
【０１７３】
この場合には、特典情報取得部１１２は、認証を行った認証デバイス４２から、当該認証デバイス４２を示すオブジェクト識別情報を取得する。そして、特典情報取得部１１２は、認証に用いた権利情報に、取得した認証デバイス４２を示すオブジェクト識別情報を関連付ければよい。
【０１７４】
これにより、履歴情報送信部１２０は、特典情報取得部１１２から当該権利情報を取得した場合に、取得した権利情報から、認証デバイス４２を示すオブジェクト識別情報を抽出することが可能となる。
【０１７５】
なお、前述の通り、放送チャンネル起動デバイス３２及び認証デバイス４２のそれぞれにアクセスしたときに、情報処理装置１０ｃは、自身の位置情報を取得し、取得した位置情報に基づき放送チャンネル起動デバイス３２及び認証デバイス４２を特定してもよい。例えば、図１０は、本実施形態に係る情報処理装置１０ｃの他の一態様を示したブロック図であり、位置情報に基づき放送チャンネル起動デバイス３２及び認証デバイス４２を特定する情報処理装置１０ｄの構成を示している。
【０１７６】
図１０に示すように、情報処理装置１０ｄは、位置情報取得部１４０を備えている。位置情報取得部１４０は、例えば、ＧＰＳ受信機により構成すればよい。
【０１７７】
チャンネル識別情報取得部１０６は、放送チャンネル起動デバイス３２にアクセスしたときに、位置情報取得部１４０から情報処理装置１０ｄの位置情報を取得する。そして、チャンネル識別情報取得部１０６は、放送チャンネル起動デバイス３２から取得したチャンネル識別情報取得部に基づきデータ放送として受信した権利情報に、位置情報取得部１４０から取得した位置情報を、放送チャンネル起動デバイス３２の位置情報として関連付ける。
【０１７８】
これにより、履歴情報送信部１２０は、特典情報取得部１１２から当該権利情報を取得した場合に、取得した権利情報から、放送チャンネル起動デバイス３２の位置情報を抽出し、抽出した放送チャンネル起動デバイス３２の位置情報を管理サーバ７０に通知することが可能となる。
【０１７９】
また、特典情報取得部１１２は、認証デバイス４２にアクセスしたときに、位置情報取得部１４０から情報処理装置１０ｄの位置情報を取得する。そして、特典情報取得部１１２は、認証に用いた権利情報に、位置情報取得部１４０から取得した位置情報を、認証デバイス４２の位置情報として関連付ける。
【０１８０】
これにより、履歴情報送信部１２０は、特典情報取得部１１２から当該権利情報を取得した場合に、取得した権利情報から、認証デバイス４２の位置情報を抽出し、抽出した認証デバイス４２の位置情報を管理サーバ７０に通知することが可能となる。
【０１８１】
［３．３．処理］
次に、図１１を参照して、本実施形態に係る情報処理システム１ｃの一連の動作の流れについて説明する。図１１は、本実施形態に係る情報処理システム１ｃの一連の処理の流れを示したシーケンス図である。なお、図１１におけるステップＳ１０４〜Ｓ１１６については、前述した第１の実施形態に係る情報処理システム１の場合（図３参照）と同様のため、以降では、当該情報処理システム１と動作の異なる、ステップＳ１３２、Ｓ１３４ａ、及びＳ１３４ｂに着目して説明する。
【０１８２】
（ステップＳ１３２）
管理サーバ７０は、権利情報に対して当該権利情報を識別するための管理情報を付加し、管理情報が付加された権利情報を放送局３０に送信する。そして、管理サーバ７０は、放送局３０に対して、チャンネルｃ１０を介して配信される放送に、当該権利情報をデータ放送として関連付けるように指示する。
【０１８３】
（ステップＳ１０４）
管理サーバ７０から指示を受けると、放送局３０は、取得した権利情報をデータ放送として、管理サーバ７０から指定された放送に関連付けて、当該放送及びデータ放送を領域ｎ１内に配信する。なお、ステップＳ１０４〜Ｓ１１６で示された処理は、前述した第１の実施形態に係る情報処理システム１の場合（図３参照）と同様である。
【０１８４】
即ち、情報処理装置１０ｃは、権利情報を取得した状態で、あらかじめ決められた認証デバイス４２にアクセスすると、当該権利情報を入力情報として当該認証デバイス４２との間で認証を行うことで、当該権利情報に対応する特典に関する特典情報を得る。
【０１８５】
特典情報取得部１１２は、情報処理装置１０ｃが認証デバイス４２にアクセスした場合に、認証デバイス４２との間で通信を確立する。認証デバイス４２との通信が確立されたら、特典情報取得部１１２は、権利情報記憶部１１０から権利情報を読み出し、読み出した権利情報を、確立された通信を介して認証デバイス４２に通知する。
【０１８６】
特典情報取得部１１２は、権利情報に対する応答として、認証デバイス４２から特典情報を取得する。ここまでの動作は、前述した第１の実施形態に係る情報処理装置１０と同様である。
【０１８７】
（ステップＳ１３４ａ）
認証デバイス４２から特典情報を取得したら（即ち、認証デバイス４２との間における認証が完了したら）、特典情報取得部１１２は、特典情報の取得に用いた権利情報を履歴情報送信部１２０に出力する。
【０１８８】
履歴情報送信部１２０は、認証デバイス４２から権利情報を取得する。履歴情報送信部１２０は、取得した権利情報に付加された管理情報を抽出し、抽出した管理情報を管理サーバ７０に通知する。
【０１８９】
このような構成により、管理サーバ７０は、情報処理装置１０ｃから取得した管理情報に基づき、どの放送を視聴したユーザが特典情報を取得したかを認識することが可能となる。
【０１９０】
（ステップＳ１３４ｂ）
なお、情報処理装置１０ｃに替えて認証デバイス４２側が、管理サーバ７０への管理情報の通知を行ってもよい。この場合には、例えば、図８に示すように、管理サーバ７０と通信可能な認証デバイス管理サーバ４４を設ければよい。認証デバイス４２は、情報処理装置１０ｃとの間で認証を行う際に情報処理装置１０ｃから取得した権利情報から、当該権利情報に付加された管理情報を抽出し、認証デバイス管理サーバ４４を介して抽出された管理情報を管理サーバ７０に通知すればよい。
【０１９１】
［３．４．まとめ］
以上のように、本実施形態に係る情報処理システム１ｃでは、管理サーバ７０は、権利情報に当該権利情報を識別するための管理情報を付加し、管理情報が付加された権利情報をデータ放送として情報処理装置１０ｃに配信する。そして、管理サーバ７０は、情報処理装置１０ｃから管理情報を取得することで、取得した管理情報に基づき、特典情報の取得に用いられた権利情報が、どの放送にデータ放送として関連付けられた権利情報であるかを識別する。このような構成により、管理サーバ７０は、情報処理装置１０ｃから取得した管理情報に基づき、どの放送を視聴したユーザが特典情報を取得したかを認識することが可能となる。
【０１９２】
なお、上記では、第１の実施形態と同様に、認証デバイス４２が情報処理装置１０ｃに特典情報を配信する場合を例に説明したが、第２の実施形態と同様に、管理サーバ７０が情報処理装置１０ｃに特典情報を配信する態様に適用することも可能である。この場合には、例えば、情報処理装置１０ｃは、特典情報を取得するために管理サーバ７０にアクセスしたときに、管理情報を管理サーバ７０に通知すればよい。
【０１９３】
＜４．ハードウェア構成例＞
上述した本開示の各実施形態に係る情報処理装置１０による情報処理は、ソフトウェアと、情報処理装置１０のハードウェアとの協働により実現される。以下に、図１２を参照しながら、情報処理装置１０のハードウェア構成の一例について説明する。図１２は、情報処理装置１０のハードウェア構成例を示すブロック図である。
【０１９４】
情報処理装置１０は、例えば、第１の通信処理デバイス８１９と、ＧＰＳアンテナ８２１と、ＧＰＳ処理デバイス８２３と、通信アンテナ８２５と、第２の通信処理デバイス８２７と、撮像デバイス８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作デバイス８４７と、表示デバイス８４９と、デコーダ８５１と、スピーカ８５３と、エンコーダ８５５と、マイク８５７と、記憶デバイス８５９とを有する。
【０１９５】
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理デバイス８２３に入力する。
【０１９６】
ＧＰＳ処理デバイス８２３は、測位衛星から受信された信号に基づいて位置情報を算出する算出部の一例である。ＧＰＳ処理デバイス８２３は、ＧＰＳアンテナ８２１から入力された複数のＧＰＳ信号に基づいて現在の位置情報を算出し、算出した位置情報を出力する。具体的には、ＧＰＳ処理デバイス８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該情報処理装置までの距離をそれぞれ算出する。そして、算出された各ＧＰＳ衛星の位置と、各ＧＰＳ衛星から当該情報処理装置までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【０１９７】
第１の通信処理デバイス８１９は、情報処理装置１０が、例えば、ＮＦＣ方式を用いて通信を行うために設けられている。第１の通信処理デバイス８１９は、例えば、所定のインダクタンス及びキャパシタンスを有する共振回路、共振回路により受信された信号を復調する復調回路、及び搬送波を増幅して共振回路から送信させる送信回路を含む。非接触通信処理部８３５は、ＮＦＣ方式を用いた通信により外部から取得した情報を記憶デバイス８５９に記憶させてもよい。なお、第１の通信処理デバイス８１９は、ＮＦＣ方式の通信に限らず、音声、可視光、または赤外線を使用した通信を行えるように構成してもよい。
【０１９８】
通信アンテナ８２５は、例えば携帯通信網や無線ＬＡＮ（Ｌｏｃａｌ  Ａｒｅａ  Ｎｅｔｗｏｒｋ）通信網を介して通信信号を受信する機能を有するアンテナである。通信アンテナ８２５は、受信した信号を第２の通信処理デバイス８２７に供給することができる。
【０１９９】
第２の通信処理デバイス８２７は、通信アンテナ８２５から供給された信号に各種の信号処理を行う機能を有する。第２の通信処理デバイス８２７は、供給されたアナログ信号から生成したデジタル信号をＣＰＵ８３９に供給することができる。なお、第１の通信処理デバイス８１９、第２の通信処理デバイス８２７は、及び通信アンテナ８２５を１チップで構成してもよい。
【０２００】
撮像デバイス８３７は、ＣＰＵ８３９の制御に従い、レンズを介して静止画像又は動画像を撮影する機能を有する。撮像デバイス８３７は、撮影した画像を記憶デバイス８５９に記憶させてもよい。また、撮像デバイス８３７により撮像することで、ＱＲコードやバーコード等の特定のパターンを読み取り、読み取られたパターンから情報を復号してもよい。
【０２０１】
ＣＰＵ８３９は、演算処理装置及び制御装置として機能し、各種プログラムに従って情報処理装置１０内の動作全般を制御する。またＣＰＵ８３９は、マイクロプロセッサであってもよい。このＣＰＵ８３９は、各種プログラムに従って様々な機能を実現することができる。
【０２０２】
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【０２０３】
操作デバイス８４７は、ユーザが所望の操作をするための入力信号を生成する機能を有する。操作デバイス８４７は、例えばタッチセンサ、マウス、キーボード、ボタン、マイク、スイッチ及びレバーなどユーザが情報を入力するための入力部と、ユーザによる入力に基づいて入力信号を生成し、ＣＰＵ８３９に出力する入力制御回路などから構成されてよい。
【０２０４】
表示デバイス８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示デバイス８４９は、ユーザに対して画面を表示することにより情報を提供することができる。
【０２０５】
デコーダ８５１は、ＣＰＵ８３９の制御に従い、入力されたデータのデコード及びアナログ変換などを行う機能を有する。デコーダ８５１は、例えば通信アンテナ８２５及び第２の通信処理デバイス８２７を介して入力された音声データのデコード及びアナログ変換などを行い、音声信号をスピーカ８５３に出力する。スピーカ８５３は、デコーダ８５１から供給される音声信号に基づいて音声を出力することができる。
【０２０６】
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【０２０７】
記憶デバイス８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Ｍａｇｎｅｔｏｒｅｓｉｓｔｉｖｅ  Ｒａｎｄｏｍ  Ａｃｃｅｓ  
Ｍｅｍｏｒ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）、ＰＲＡＭ（Ｐｈａｓｅ  ｃｈａｎｇｅ  Ｒａｎｄｏｍ  Ａｃｃｅｓｓ  Ｍｅｍｏｒｙ）、及びＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Only  Memory）などの不揮発性メモリや、ＨＤＤ（Ｈａｒｄ  Ｄｉｓｋ  Ｄｒｉｖｅ）などの磁気記録媒体などが用いられてよい。
【０２０８】
また、コンピュータに内蔵されるＣＰＵ、ＲＯＭ及びＲＡＭなどのハードウェアを、上記した情報処理装置が有する構成と同等の機能を発揮させるためのプログラムも作成可能である。また、当該プログラムを記録した、コンピュータに読み取り可能な記憶媒体も提供され得る。
【０２０９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１０】
なお、以下のような構成も本開示の技術的範囲に属する。
（１）
放送を受信するためのチャンネル識別情報を第１のオブジェクトから取得するチャンネル識別情報取得部と、
前記チャンネル識別情報が示す前記放送に関連付けられた、特典を得るための権利情報を取得する権利情報取得部と、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を示す特典情報を取得する特典情報取得部と、
を備える、情報処理装置。
（２）
前記権利情報は、暗号化されており、
前記チャンネル識別情報取得部は、前記第１のオブジェクトから、前記権利情報を復号するための鍵情報を取得し、
前記権利情報取得部は、取得された前記鍵情報に基づき前記権利情報を復号する、前記（１）に記載の情報処理装置。
（３）
前記放送は、暗号化されており、
前記権利情報取得部は、前記鍵情報に基づき前記放送を復号する、前記（２）に記載の情報処理装置。
（４）
前記チャンネル識別情報は、前記放送を受信可能な領域内で取得される、前記（１）〜（３）のいずれか一項に記載の情報処理装置。
（５）
前記権利情報に基づき前記特典の内容を通知する通知部を備える、前記（１）〜（４）のいずれか一項に記載の情報処理装置。
（６）
前記チャンネル識別情報取得部は、前記第１のオブジェクトから、当該第１のオブジェクトを識別するためのオブジェクト識別情報を取得し、
前記特典情報取得部は、前記権利情報と前記オブジェクト識別情報とに基づく前記認証に係る処理を実行し、当該認証の結果に基づく前記特典情報を取得する、前記（１）〜（５）のいずれか一項に記載の情報処理装置。
（７）
前記チャンネル識別情報を取得したときの自身の位置を示す位置情報を取得する位置情報取得部を備え、
前記特典情報取得部は、前記権利情報と前記位置情報とに基づく前記認証に係る処理を実行し、当該認証の結果に基づく前記特典情報を取得する、前記（１）〜（５）のいずれか一項に記載の情報処理装置。
（８）
前記特典情報取得部は、前記通信を介して前記特典情報を取得する、前記（１）〜（７）のいずれか一項に記載の情報処理装置。
（９）
前記第２のオブジェクトと前記特典情報取得部との間の通信は、非接触通信である、前記（１）〜（８）のいずれか一項に記載の情報処理装置。
（１０）
チャンネル識別情報取得部は、前記第１のオブジェクトとの間で通信を確立し、当該通信を介して前記チャンネル識別情報を取得する、前記（１）〜（９）のいずれか一項に記載の情報処理装置。
（１１）
前記第１のオブジェクトと前記チャンネル識別情報取得部との間の通信は、非接触通信である、前記（１０）に記載の情報処理装置。
（１２）
前記特典情報取得部は、前記認証の結果を外部サーバに通知し、当該外部サーバから前記特典情報を取得する、前記（１）〜（１１）のいずれか一項に記載の情報処理装置。
（１３）
前記チャンネル識別情報の取得、前記放送の受信、及び前記認証のうち少なくともいずれかに関する履歴を、外部サーバに送信する履歴送信部を備える、前記（１）〜（１２）のいずれか一項に記載の情報処理装置。
（１４）
前記履歴は、前記放送に関連付けられた前記権利情報の利用状況を認識するために使用される、前記（１３）に記載の情報処理装置。
（１５）
前記チャンネル識別情報取得部は、異なる複数の前記第１のオブジェクトそれぞれから前記チャンネル識別情報を取得し、
前記権利情報取得部は、複数の前記第１のオブジェクトから取得した前記チャンネル識別情報それぞれが示す前記放送に関連付けられた、前記放送ごとの前記権利情報を取得し、
前記特典情報取得部は、前記放送ごとの前記権利情報それぞれについて前記認証に係る処理を実行し、実行された一連の前記認証の結果に基づく前記特典情報を取得する、前記（１）〜（１４）のいずれか一項に記載の情報処理装置。
（１６）
前記第２のオブジェクトが複数設置され、
前記特典情報取得部は、前記放送ごとの前記権利情報それぞれに対応する前記認証に係る処理を、複数の前記第２のオブジェクトのうち、それぞれ異なる前記第２のオブジェクトとの間の通信を介して実行する、前記（１５）に記載の情報処理装置。
（１７）
前記第２のオブジェクトが複数設置され、
前記特典情報取得部は、複数の前記第２のオブジェクトそれぞれとの間の前記認証の結果に基づく前記特典情報を取得する、前記（１）〜（１４）のいずれか一項に記載の情報処理装置。
（１８）
放送を受信するためのチャンネル識別情報が記憶された第１のオブジェクトから、当該チャンネル識別情報を取得することと、
前記チャンネル識別情報に基づき受信された前記放送に関連付けられた、特典を得るための権利情報を取得することと、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得することと、
を含む、情報処理方法。
（１９）
コンピュータに、
放送を受信するためのチャンネル識別情報が記憶された第１のオブジェクトから、当該チャンネル識別情報を取得する機能と、
前記チャンネル識別情報に基づき受信された前記放送に関連付けられた、特典を得るための権利情報を取得する機能と、
前記第１のオブジェクトとは異なる所定の場所に設置された第２のオブジェクトとの間で通信を確立し、当該通信を介して前記権利情報に基づく認証に係る処理を実行し、当該認証の結果に基づく、前記特典を得るための特典情報を取得する機能と、
を実行させるためのプログラム。
【符号の説明】
【０２１１】
１、１ａ、１ｂ、１ｃ、１ｄ  情報処理システム
１０、１０ａ、１０ｃ、１０ｄ  情報処理装置
１０２  第１の通信部
１０４  第２の通信部
１０６  チャンネル識別情報取得部
１０８  権利情報取得部
１１０  権利情報記憶部
１１２  特典情報取得部
１２０  履歴情報送信部
１４０  位置情報取得部
１５    通知部
１５１  通知制御部
１５２  表示部
３０    放送局
３２    放送チャンネル起動デバイス
４２    認証デバイス
４４    認証デバイス管理サーバ
７０    管理サーバ
【図１】
2015012000.tif 000003
【図２】
2015012000.tif 000004
【図３】
2015012000.tif 000005
【図４】
2015012000.tif 000006
【図５】
2015012000.tif 000007
【図６】
2015012000.tif 000008
【図７】
2015012000.tif 000009
【図８】
2015012000.tif 000010
【図９】
2015012000.tif 000011
【図１０】
2015012000.tif 000012
【図１１】
2015012000.tif 000013
【図１２】
2015012000.tif 000014
【国際調査報告】
2015012000.tif 000015
2015012000.tif 000016
2015012000.tif 000017
2015012000.tif 000018